【事件の表示】
　特願２００２−５０８９０４「インクジェット記録装置用インク供給ユニット、膜弁、及びカートリッジ」拒絶査定不服審判事件〔平成１４年　１月１７日国際公開、ＷＯ０２／０４２１７〕について、次のとおり審決する。
【結　論】
　本件審判の請求は、成り立たない。
【理　由】
１．手続の経緯
　本願は、２００１年６月２２日（優先権主張：２０００年７月７日、日本国）を国際出願日とする出願であって、平成１７年４月８日付けで拒絶査定がなされ、これに対し、平成１７年５月１３日付けで拒絶査定に対する審判請求がなされるとともに、同年６月１日付けで明細書についての手続補正がなされたものである。
　
２．補正の内容
　平成１７年６月１日付けの手続補正（以下、「本件補正」という。）は、特許請求の範囲についての補正を含んでおり、補正前後の特許請求の範囲の記載は、以下の通りである。
＜補正前＞（平成１６年７月２６日付け手続補正書参照。）
「　【請求項１】　外周の厚肉部により弁座構成部材に支持され、かつ中心にインク流通口が形成された薄肉部を備え、前記インク流通口が弁座に押圧されて、インクの差圧に応動して弁座に接離する膜弁を備えたインクジェット記録装置用インク供給ユニットにおいて、
　前記膜弁が、前記薄肉部の中央領域に、前記インク流通口に同心の折れ曲がり部が設けられているインクジェット記録装置用インク供給ユニット。
　　【請求項２】　外周の厚肉部により弁座構成部材に支持され、かつ中心にインク流通口が形成された薄肉部を備え、前記インク流通口が弾性付与手段により弁座に押圧されて、インクの差圧に応動して弁座に接離する膜弁を備えたインクジェット記録装置用インク供給ユニットにおいて、
　前記膜弁が、前記薄肉部が略平面に形成され、前記インク流通口から等間隔で放射状に延びる凸条部が複数、前記薄肉部と同一の材料で形成されているインクジェット記録装置用インク供給ユニット。
　　【請求項３】　インク貯蔵容器とインクジェット記録ヘッドとを接続する流路に前記膜弁が配置されている請求の範囲１、または請求の範囲２に記載のインクジェット記録装置用インク供給ユニット。
　　【請求項４】　インクジェット記録ヘッドにインクを供給する流路に脱着可能なインク容器に、前記膜弁が配置されている請求の範囲１、または請求の範囲２に記載のインクジェット記録装置用インク供給ユニット。
　　【請求項５】　前記インク流通口の外周近傍が弾性付与手段により前記弁座に押圧されている請求の範囲１または請求の範囲２に記載のインクジェット記録装置用インク供給ユニット。
　　【請求項６】　外周の厚肉部により弁座構成部材に支持される薄肉部を備え、前記薄肉部の中心にインク流通口を備え、前記インク流通口がインクの差圧に応動して弁座に接離するインクジェット記録装置用インク供給ユニットの膜弁において、
　前記薄肉部の中央領域に、前記インク流通口に同心の折れ曲がり部が設けられているインクジェット記録装置用インク供給ユニットの膜弁。
　　【請求項７】　外周の厚肉部により弁座構成部材に支持される薄肉部を備え、前記薄肉部の中心にインク流通口を備え、前記インク流通口がインクの差圧に応動して弁座に接離するインクジェット記録装置用インク供給ユニットの膜弁において、
　前記薄肉部が略平面に形成され、前記インク流通口から等間隔で放射状に延びる凸条部が複数、前記薄肉部と同一の材料で形成されているインクジェット記録装置用インク供給ユニットの膜弁。
　　【請求項８】　前記インク流通口の近傍に弾性付与手段が当接する領域が形成されている請求の範囲６または請求の範囲７に記載のインクジェット記録装置用インク供給ユニットの膜弁。
　　【請求項９】　インク収容部と、インク流出口とを備えた容器からなるカートリッジにおいて、
　外周の厚肉部により弁座構成部材に支持され、かつ中心にインク流通口が形成された薄肉部を備え、前記インク流通口が弁座に押圧されて、インクの差圧に応動して弁座に接離し、かつ前記薄肉部の中央領域に、前記インク流通口に同心の折れ曲がり部が設けられた膜弁が前記インク流出口に連通する流路に配置されているカートリッジ。」
　
＜補正後＞
「　【請求項１】　外周の厚肉部により弁座構成部材に支持され、かつ中心にインク流通口が形成された薄肉部を備え、前記インク流通口が弁座に押圧されて、インクの差圧に応動して弁座に接離する膜弁を備えたインクジェット記録装置用インク供給ユニットにおいて、
　前記膜弁が、前記薄肉部の中央領域に位置するように、前記インク流通口に同心の断面略「Ｖ」字状の折れ曲がり部が設けられているインクジェット記録装置用インク供給ユニット。
　　【請求項２】　外周の厚肉部により弁座構成部材に支持され、かつ中心にインク流通口が形成された薄肉部を備え、前記インク流通口が弾性付与手段により弁座に押圧されて、インクの差圧に応動して弁座に接離する膜弁を備えたインクジェット記録装置用インク供給ユニットにおいて、
　略平面状の前記薄肉部と、前記インク流通口から等間隔で放射状に延びる複数の凸条部とを有し、前記薄肉部と凸条部とが高分子材料で形成されているインクジェット記録装置用インク供給ユニット。
　　【請求項３】　外周の厚肉部により弁座構成部材に支持される薄肉部を備え、前記薄肉部の中心にインク流通口を備え、前記インク流通口がインクの差圧に応動して弁座に接離するインクジェット記録装置用インク供給ユニットの膜弁において、
　前記薄肉部の中央領域に位置するように、前記インク流通口に同心の断面略「Ｖ」字状の折れ曲がり部が設けられているインクジェット記録装置用インク供給ユニットの膜弁。
　　【請求項４】　外周の厚肉部により弁座構成部材に支持される薄肉部を備え、前記薄肉部の中心にインク流通口を備え、前記インク流通口がインクの差圧に応動して弁座に接離するインクジェット記録装置用インク供給ユニットの膜弁において、
　略平面状の前記薄肉部と、前記インク流通口から等間隔で放射状に延びる複数の凸条部とを有し、前記薄肉部と凸条部とが高分子材料で形成されているインクジェット記録装置用インク供給ユニットの膜弁。
　　【請求項５】　インク収容部と、インク流出口とを備えた容器からなるカートリッジにおいて、
　外周の厚肉部により弁座構成部材に支持され、かつ中心にインク流通口が形成された薄肉部を備え、前記インク流通口が弁座に押圧されて、インクの差圧に応動して弁座に接離し、かつ前記薄肉部の中央領域に位置するように、前記インク流通口に同心の断面略「Ｖ」字状の折れ曲がり部が設けられた膜弁が前記インク流出口に連通する流路に配置されているカートリッジ。」
　
３．補正内容の検討
　補正前後の特許請求の範囲の記載を比較すると、従属請求項である補正前の請求項３〜５、８が削除され、補正前の請求項１、２、６、７、９が、それぞれ補正後の請求項１〜５に対応していることが明らかである。
　補正前の請求項６と補正後の請求項３を比較すると、以下の補正事項１があり、補正前の請求項７と補正後の請求項４を比較すると、以下の補正事項２がある。
　
［補正事項１］補正前の「前記薄肉部の中央領域に、前記インク流通口に同心の折れ曲がり部が設けられている」という記載を「前記薄肉部の中央領域に位置するように、前記インク流通口に同心の断面略「Ｖ」字状の折れ曲がり部が設けられている」と補正する。
［補正事項２］補正前の「前記薄肉部が略平面に形成され、前記インク流通口から等間隔で放射状に延びる凸条部が複数、前記薄肉部と同一の材料で形成されている」という記載を「略平面状の前記薄肉部と、前記インク流通口から等間隔で放射状に延びる複数の凸条部とを有し、前記薄肉部と凸条部とが高分子材料で形成されている」と補正する。　
　
　上記補正事項１の内、「薄肉部の中央領域に」を「薄肉部の中央領域に位置するように」に補正する点に関しては、表現が異なるものの、折れ曲がり部が設けられている位置を薄肉部の中央領域に特定するものであり、実質的に相違するものではない。上記補正事項１の内、「インク流通口に同心の折れ曲がり部」を「インク流通口に同心の断面略「Ｖ」字状の折れ曲がり部」に補正する点に関しては、「折れ曲がり部」について「断面略「Ｖ」字状」と限定するものである。そうすると、補正事項１は、全体として「折れ曲がり部」について「断面略「Ｖ」字状」と限定するものと解釈できる。
　
　上記補正事項２の内、補正前の記載では、薄肉部と凸条部とが同一の材料で形成されていることを特定している内容を「薄肉部と凸条部とが高分子材料で形成されている」という記載に補正する点以外については、表現が異なるものの、膜弁が略平面状の薄肉部を有し、インク流通口から等間隔で放射状に延びる複数の凸条部を有することを特定するものであり、実質的に相違するものではない。補正前の「同一の材料」がどのような概念で同一（例えば、素材が同一であるか否か、あるいは物性が同一であるか否か、素材が同一であるとしても上位の概念であるか下位の概念であるか等）と称しているのか明らかでなく、補正前の「同一の材料」が相当上位の概念であれば、「薄肉部と凸条部とが高分子材料で形成されている」とする補正は、限定的減縮に該当する可能性があり、「同一の材料」が相当下位の概念であれば、「薄肉部と凸条部とが高分子材料で形成されている」とする補正は、限定的減縮に該当せず、却って拡張になる可能性もある。そうすると、補正前の「同一の材料」の解釈次第で補正事項２の補正目的が適法であるか否か左右されることになる。
　しかしながら、本件補正が補正却下されるか否かにかかわらず、補正前後で対応する両請求項に係る発明が原査定の拒絶の理由に引用された刊行物記載の発明に基いて容易に発明をすることができたものであれば、特許法第２９条第２項の規定により特許を受けることができず、結局、本願は、拒絶されるべきものであるから、以下、本件補正の補正却下については言及せずに、本件補正によって補正された請求項３、４に係る発明（以下、「本願補正発明３」、「本願補正発明４」という。）、及びそれに対応する補正前の請求項６、７に係る発明（以下、「本願発明６」、「本願発明７」という。）について進歩性を検討する。
　
４．引用刊行物
（１）原査定の拒絶の理由に引用され、本願優先権主張日前に頒布された刊行物である特開２０００−２３４６号公報（以下、「刊行物１」という。）には、以下の記載が図示とともにある。
　ア．【請求項１】  中央に流体供給孔を有し、周縁部が硬質材料で補強固定された弾性材料からなるディスク状弁体が、上記流体供給孔に対応するように配置された固定弁座に接離することにより、該流体供給孔を開閉する流体供給弁において、前記ディスク状弁体の流体供給孔部と周縁部との間に、半径方向に少なくとも一つの屈曲部を設けたことを特徴とする流体供給弁。
【請求項２】  ディスク状弁体が、周縁部近傍に円周方向に沿って屈曲部を設けたものである請求項１記載の流体供給弁。
【請求項３】  屈曲部の形状が、断面凹状である請求項１又は２記載の流体供給弁。
　イ．【０００１】
【発明の属する技術分野】本発明は、流体供給弁に関し、さらに詳しくは、特にインクジェット記録装置において、記録時に記録ヘッドから吐出されるインク量に見合ったインクをインク室から該記録ヘッド部へ良好に供給するためのインクタンク弁として好適な流体供給弁に関するものである。
　ウ．【０００７】図１は、インクタンク弁の一例を示す断面図であり、図２は、このインクタンク弁に用いられるディスク状弁体の一例を示す部分断面図である。インクタンク弁Ｃは、インク室Ａとインク供給部Ｂとを分割する位置に設けられており、このインクタンク弁Ｃに用いられる弁体１は、中央にインク供給孔３を有し、周縁部がポリプロピレンなどの硬質材料２で補強固定されたディスク状弾性材料から構成されている。このディスク状の弁体１は、バネ６を備えた可動支持体５によって支持され、未記録時には固定弁座４に当接し、インクタンク弁Ｃが閉じた状態となっている。記録時には、インク供給部Ｂのインクが記録ヘッド部に供給されるため、インク供給部Ｂ内のインクが減少して負圧がかかる。その結果、可動支持体５が、バネ６が圧縮される方向に移動することにより、ディスク状弁体１は固定弁座４から離れ、インクタンク弁Ｃが開かれた状態となり、インク室Ａのインクがインク供給孔３を通って、インク供給部Ｂへ供給される。これにより、インク供給部Ｂの負圧が解消されると、弁体１は可動支持体５によって、再び固定弁座４に当接し、インク供給部Ｂへのインクの供給が停止する。このような構造のインクタンク弁においては、記録時に記録ヘッドから吐出されるインク量に見合ったインクを良好に供給しうることが重要であり、そのためにはインクタンク弁に用いられるディスク状弁体の変形した際の反力が小さいことが望ましい。しかしながら、従来のインクタンク弁に用いられるディスク状弁体は、通常、図２に示す構造を有する厚さが0.４ｍｍ程度のものであって、変形した際の反力は必ずしも小さくはなく、インクの供給が、記録ヘッドから吐出されるインク量に対し、充分に追従できないことがあるなどの問題があった。
　エ．【０００９】
【課題を解決するための手段】本発明者らは、上記目的を達成するために鋭意研究を重ねた結果、流体供給孔部と周縁部との間に、半径方向に少なくとも一つの屈曲部を設けたディスク状弁体は、屈曲部を設けないものに比べて、変形時の反力が小さくなり、このような弁体を用いた流体供給弁がその目的に適合しうることを見出した。
　オ．【００１２】・・・また、ディスク状弁体は、射出成形後の金型からの離型性が良好であるものが好ましく、したがって、離型性が良好になるように屈曲部形状を選択するのが望ましい。
　カ．【００１７】
【実施例】次に、本発明を実施例によりさらに詳しく説明するが、本発明はこれらの例によってなんら限定されるものではない。
　キ．【００１９】実施例１〜４
調製例１で得られた弾性材料とポリプロピレン樹脂を用い、二色成形法により、図７（実施例１），図８（実施例２），図９（実施例３）及び図１０（実施例４）に示す断面形状（ただし、これらの図は片半分の断面形状である。）を有する、中央に流体供給孔３が設けられ、かつ周縁部がポリプロピレン樹脂からなる硬質材料２で補強固定されてなる周縁部近傍に屈曲部を設けたディスク状弁体を作製した。各弁体について、変位が0.２ｍｍの場合の反力を求めると共に、成形の際の収縮時変位量を測定した。結果を第１表に示す。
　ク．【図７】〜【図１０】から、硬質材料で補強された周縁部は、厚肉になっていることが看取できる。
　
　上記刊行物１は、「流体供給弁」に関するものであるが、その一部である「ディスク状弁体」を認識できる。
　上記ク．から、硬質材料で補強された周縁部が厚肉であるから、該周縁部より中央側の部分を「薄肉部」と称することができる。
　上記キ．の実施例１〜４（【図７】〜【図１０】）において、ディスク状弁体が片半分の断面形状で表示されており、ディスク状弁体と称している以上、円形であり、弁体の機能、技術常識等から、前記「周縁部」及び「薄肉部」は、同心に形成されているものと認められる。また、同様に、屈曲部が流体供給孔と同心であるものと認められる。前記「周縁部」、「薄肉部」が同心であることと、上記ア．の「中央に流体供給孔を有し・・・ディスク状弁体」という記載から、刊行物１記載のディスク状弁体は、「薄肉部」の中心に流体供給孔を備えているものと認められる。
　刊行物１記載の固定弁座とディスク状弁体の周縁部とが相対移動しないことは技術常識であり、固定弁座を構成する部材が存在することは明らかであるから、前記「薄肉部」は、ディスク状弁体の周縁部を介して固定弁座を構成する部材に支持されているものと認められる。
　上記ウ．は、従来技術に関する記載であるが、上記ア．に記載のものも同様に、インクの差圧に応動してディスク状弁体が固定弁座に接離するものと認められる。
　上記記載及び図面を含む刊行物全体の記載から、刊行物１には、以下の発明が開示されていると認められる。
「硬質材料で補強された厚肉の周縁部を介して固定弁座を構成する部材に支持される薄肉部を備え、前記薄肉部の中心に流体供給孔を備え、前記流体供給孔がインクの差圧に応動して固定弁座に接離するディスク状弁体において、
　流体供給孔部と周縁部との間に、半径方向に少なくとも一つの流体供給孔と同心の屈曲部を設けたディスク状弁体。」（以下、「引用発明１」という。）
　
（２）原査定の拒絶の理由に引用され、本願優先権主張日前に頒布された刊行物である特開平１０−３１５５０４号公報（以下、「刊行物２」という。）には、以下の記載が図示とともにある。
　
　ケ．【請求項１】  上流側と下流側との圧力差に応動する弾性薄膜、これの表面に形成され、通孔を有する弁体部、及び該弁体部と一体に形成されて常時上流側に付勢する弾性支持部とからなる膜弁と、
前記インク流路の上流側に位置して前記通孔に弾接する弁座と、
該弁座の下流側に配置され、前記弾性支持部の延長方向を長辺としてその端部側が上方となり、かつ断面積が狭くなる流路を形成する流路形成板とからなるインクジェット式記録装置のインク供給流路の弁装置。
・・・
【請求項３】  前記弾性支持部が前記弁体部を両側から支持するように形成されている請求項１に記載のインクジェット式記録装置のインク供給流路の弁装置。
・・・
【請求項５】  前記弁体部から前記通孔を対称点とするように前記弾性支持部が放射状に整形されている請求項３に記載のインクジェット式記録装置のインク供給流路の弁装置。
　コ．【００１５】膜弁座６は、図３（ａ）、（ｂ）に示したように柔軟な高分子フィルム１２と、金属板１３との積層体を長方形に切り出し、インク容器１と弁座形成部材７とによる支持領域となる４辺１４、１５、１６、１７と、弁体部１８となる中心部と、弁体部１８を両側から支持し、かつ長辺側に延びる細長い弾性支持部１９、１９を残すように金属板１３をエッチングして窓から高分子フィルム１２の露出部２０、２０を形成するとともに、弁体部１８にインクを流通させる通孔２１を穿設して構成されている。
　サ．【００２４】図４乃至図６は、それぞれ膜弁６の他の実施例を示すものであって、図４に示したものは、弁体部１８の通孔２１を点対称点とするように配置された枝部２３、２３を、金属板１３のエッチング等により形成したもので、差圧を弁体部１８、及び弾性支持部１９に確実に伝達して高分子フィルム１２の過度な変形を防止することができる。
　シ．【００３４】また、上述の実施例においては高分子フィルムと金属板との積層体をエッチングにより加工しているが、弁体部や弾性支持部、及び枠部を金属板のプレス加工により構成したり、また高分子の射出成形により構成した高分子板を高分子フィルムに貼着するようにしても同様の作用を奏する。
　
　上記シ．の記載から、弁体部と弾性支持部は、高分子の射出成形により構成した高分子板であると認められ、該高分子板が高分子フィルムに貼着されているものと認められる。
　上記記載及び図面を含む刊行物２全体の記載から、刊行物２には、以下の発明が開示されていると認められる。
「圧力差に応動する高分子フィルムからなる弾性薄膜、これの表面に貼着され、通孔を有する弁体部及び常時上流側に付勢する弾性支持部を有する高分子の射出成形により構成した高分子板からなり、弁体部から前記通孔を対称点とするように前記弾性支持部が放射状に整形されている膜弁。」
　
５．対比・判断
（１）本願補正発明３について
　本願補正発明３と引用発明１とを比較すると、引用発明１の「周縁部」、「固定弁座を構成する部材」、「流体供給孔」、「ディスク状弁体」、「固定弁座」及び「屈曲部」は、それぞれ本願補正発明３の「厚肉部」、「弁座構成部材」、「インク流通口」、「膜弁」、「弁座」及び「折れ曲がり部」に相当する。
　よって、両者は、
「外周の厚肉部により弁座構成部材に支持される薄肉部を備え、前記薄肉部の中心にインク流通口を備え、前記インク流通口がインクの差圧に応動して弁座に接離する膜弁において、
　インク流通孔に同心の折れ曲がり部が設けられている膜弁。」
の点で一致し、以下の点で相違している。
［相違点１］弁膜の用途に関し、本願補正発明３は、「インクジェット記録装置用インク供給ユニットの」と特定されているのに対し、引用発明１は、そのような特定がなされていない点。
［相違点２］折れ曲がり部に関し、本願補正発明３は、「薄肉部の中央領域に位置するように」、前記インク流通口に同心の「断面略「Ｖ」字状の折れ曲がり部が設けられている」と特定されているのに対し、引用発明１は、そのような特定がなされていない点。
　
　上記相違点１について検討する。
　本願補正発明３の「インク供給ユニット」が何を意味するか必ずしも明らかではないが、平成１７年６月１日付け手続補正書の第３頁第３５〜３８行に「なお、上述の実施例においては、独立体として構成されたインク供給ユニットに膜弁を組み込む場合について説明したが、第６図、第７図に示したように、インク貯蔵容器や、記録ヘッドに接続するサブタンク等に組み込んで、インク供給ユニットを形成することができる。」（平成１６年７月２６日付け手続補正書にも同様の記載がある。）と記載されているから、前記「インク供給ユニット」は、インクタンクに膜弁を組み込んだものを含んでいるものと解釈できる。
　刊行物１のウ．には、ディスク状弁体をインクタンク弁に用いることが記載されており、刊行物１のイ．には、インクジェット記録装置に用いること記載されているから、引用発明の弁を相違点１のような用途に用いることは当業者が容易になし得る程度のことである。
　
　上記相違点２について検討する。
　本願補正発明３の「中央領域」がどの領域を意味しているのか必ずしも明らかではないが、前記平成１７年６月１日付け手続補正書の第２頁第１９〜２５行に「このような問題を解消するため、特開平2000-2346号公報に見られるように、中心にインク供給用の通孔を備えた円板状の膜弁の外周近傍に、断面「コ」の字状の屈曲部を形成した流体供給用の膜弁が提案されている。
　これによれば、屈曲部により微小な差圧に応動して通孔を弁座に接離させることができるものの、このような膜弁は、外周に支持部となる断面の大きな枠部を同時に成形する必要上、膜弁の弾性に大きく関わる屈曲部を高い精度で構成することに熟練を要するという不都合がある。」（平成１６年７月２６日付け手続補正書にも同様の記載がある。）と記載されているから、膜弁の外周近傍を除き、外周よりインク流通口寄りの領域を意味しているものと解することができる。
　一方、引用文献１の請求項の記載は上記ア．に示すとおりであって、請求項１を引用する請求項２で「周縁部近傍に円周方向に沿って屈曲部を設けた」と限定しているから、請求項１の「流体供給孔部と周縁部との間」には、周縁部近傍を除いた領域、即ち、周縁部より流体供給孔側に寄った領域が含まれていることになる。引用発明１の「流体供給孔部と周縁部との間」も同様であって、周縁部より流体供給孔側に寄った領域が含まれている。また、引用文献１のエ．の記載から、引用発明１は、屈曲部を設けないものに比べて半径方向に少なくとも一つの屈曲部を設ければよいのであるから、折れ曲がり部を設ける位置を周縁部より流体供給孔側に寄った領域に特定することは当業者が容易になし得る程度のことである。
　次に、「断面略「Ｖ」字状」について検討すると、刊行物１の上記ア．及びイ．に示すように、請求項１を引用する請求項３で「屈曲部の形状が、断面凹状である」と限定しているから、請求項１の屈曲部の形状には、断面凹状以外の形状が含まれていることになる。また、引用文献１のオ．、カ．の記載から、屈曲部の形状を断面凹状以外の形状にすることが示唆されており、屈曲部の形状を断面略「Ｖ」字状とすることは、極一般的に行われていることであるから、「断面略「Ｖ」字状」とすることは当業者が容易になし得る程度のことである。
　よって、本願補正発明３の上記相違点２のような構成とすることは当業者が容易になし得る程度のことである。
　
　そして、本願補正発明３の作用効果も、刊行物１記載の発明及び周知技術から当業者が予測できる範囲のものである。
　
（２）本願補正発明４について
　本願補正発明４と引用発明１とを比較すると、引用発明１の「周縁部」、「固定弁座を構成する部材」、「流体供給孔」、「ディスク状弁体」及び「固定弁座」は、それぞれ本願補正発明４の「厚肉部」、「弁座構成部材」、「インク流通口」、「膜弁」及び「弁座」に相当する。
　よって、両者は、
「外周の厚肉部により弁座構成部材に支持される薄肉部を備え、前記薄肉部の中心にインク流通口を備え、前記インク流通口がインクの差圧に応動して弁座に接離する膜弁。」
の点で一致し、以下の点で相違している。
［相違点３］弁膜の用途に関し、本願補正発明４は、「インクジェット記録装置用インク供給ユニットの」と特定されているのに対し、引用発明１は、そのような特定がなされていない点。
［相違点４］本願補正発明４は、「略平面状の前記薄肉部と、前記インク流通口から等間隔で放射状に延びる複数の凸条部とを有し、前記薄肉部と凸条部とが高分子材料で形成されている」と特定されているのに対し、引用発明１は、そのような特定がなされていない点。
　
　上記相違点３については、上記「（１）本願補正発明３について」の相違点１で検討したのと同様である。
　
　上記相違点４について検討する。
　上記相違点４は、インクの差圧に応動して弁座に接離する部分に関するものである。刊行物２には、圧力差に応動する高分子フィルムからなる弾性薄膜（本願補正発明４の「薄肉部」）、これの表面に貼着され、通孔を有する弁体部及び常時上流側に付勢する弾性支持部（同「凸条部」）を有する高分子の射出成形により構成した高分子板からなり、弁体部から前記通孔を対称点とするように前記弾性支持部が放射状に整形されている膜弁が記載されている。刊行物２記載の発明は、引用発明１と同様、インクの差圧に応動して弁座に接離する部分を有する膜弁に関する技術であるから、刊行物２記載の発明を引用発明１に適用し、インクの差圧に応動して弁座に接離する部分を略平面状の薄肉部と、放射状に延びる複数の凸条部とし、前記薄肉部と凸条部とを高分子材料で形成することは当業者が容易になし得る程度のことである。
　凸条部をインク流通口から等間隔で放射状に延びるようにする点に関し、引用発明１は、ディスク状弁体、即ち、円形であるから、刊行物２記載の発明を引用発明１に適用する際に、できるだけ均等に支持し得るように等間隔で放射状に延びるようにすることは当業者が容易になし得る程度のことである。
　よって、本願補正発明４の上記相違点４のような構成とすることは当業者が容易になし得る程度のことである。
　
　そして、本願補正発明４の作用効果も、刊行物１、２記載の発明及び周知技術から当業者が予測できる範囲のものである。
　
（３）本願発明６について
　本願発明６は、前記（１）で検討した本願補正発明３から「折れ曲がり部」についての限定事項である「断面略「Ｖ」字状」との構成を実質的に省たものである。
　そうすると、実質的に本願発明６の発明を特定する事項を全て含み、さらに他の発明を特定する事項を付加したものに相当する本願補正発明３が、前記（２）に記載したとおり、刊行物１記載の発明及び周知技術に基づいて、当業者が容易に発明をすることができたものであるから、本願発明６も、同様の理由により、刊行物１記載の発明及び周知技術に基づいて、当業者が容易に発明をすることができたものである。
　
（４）本願発明７について
　本願発明７と引用発明１とを比較すると、引用発明１の「周縁部」、「固定弁座を構成する部材」、「流体供給孔」、「ディスク状弁体」及び「固定弁座」は、それぞれ本願発明７の「厚肉部」、「弁座構成部材」、「インク流通口」、「膜弁」及び「弁座」に相当する。
　よって、両者は、
「外周の厚肉部により弁座構成部材に支持される薄肉部を備え、前記薄肉部の中心にインク流通口を備え、前記インク流通口がインクの差圧に応動して弁座に接離する膜弁。」
の点で一致し、以下の点で相違している。
［相違点３’］弁膜の用途に関し、本願発明７は、「インクジェット記録装置用インク供給ユニットの」と特定されているのに対し、引用発明１は、そのような特定がなされていない点。
［相違点４’］本願発明７は、「前記薄肉部が略平面に形成され、前記インク流通口から等間隔で放射状に延びる凸条部が複数、前記薄肉部と同一の材料で形成されている」と特定されているのに対し、引用発明１は、そのような特定がなされていない点。
　
　上記相違点３’については、上記「（１）本願補正発明３について」の相違点１で検討したのと同様である。
　
　上記相違点４’について検討する。
　本願発明７の「同一の材料」の概念が必ずしも明らかではないが、平成１６年７月２６日付け手続補正書の第３頁第３３〜３６行に「この実施例によれば、膜部２を可及的に薄く構成して剛性を下げつつ、凸条部８を骨部材として機能させて、膜部２全体の姿勢を一定に維持することができる。また、凸条部８は、膜部を形成する金型に凹条部を形成しておくことにより膜部の形成に合わせて作り付けることができる。」と記載されていることから、「同一の材料」には、金型で合わせて作り付けることが可能な材料が含まれているものと解釈できる。
　上記相違点４’は、インクの差圧に応動して弁座に接離する部分に関するものである。刊行物２には、圧力差に応動する高分子フィルムからなる弾性薄膜（本願補正発明４の「薄肉部」）、これの表面に貼着され、通孔を有する弁体部及び常時上流側に付勢する弾性支持部（同「凸条部」）を有する高分子の射出成形により構成した高分子板からなり、弁体部から前記通孔を対称点とするように前記弾性支持部が放射状に整形されている膜弁が記載されている。刊行物２記載の発明は、引用発明１と同様、インクの差圧に応動して弁座に接離する部分を有する膜弁に関する技術であり、高分子材料は金型で合わせて作り付けることが可能な材料であるから、刊行物２記載の発明を引用発明１に適用し、薄肉部が略平面に形成され、放射状に延びる凸条部が複数、前記薄肉部と同一の材料で形成されようにすることは当業者が容易になし得る程度のことである。
　凸条部をインク流通口から等間隔で放射状に延びるようにする点に関し、引用発明１は、ディスク状弁体、即ち、円形であるから、刊行物２記載の発明を引用発明１に適用する際に、できるだけ均等に支持し得るように等間隔で放射状に延びるようにすることは当業者が容易になし得る程度のことである。
　よって、本願発明７の上記相違点４’のような構成とすることは当業者が容易になし得る程度のことである。
　
　そして、本願発明７の作用効果も、刊行物１、２記載の発明及び周知技術から当業者が予測できる範囲のものである。
　
６．むすび
　以上のとおり、本願補正発明３、本願発明６は、本願優先権主張日前に頒布された刊行物１記載の発明及び周知技術に基づいて、本願補正発明４、本願発明７は、本願優先権主張日前に頒布された刊行物１、２記載の発明及び周知技術に基づいて、当業者が容易に発明をすることができたものであるから、特許法第２９条第２項の規定により特許を受けることができないものであり、平成１７年６月１日付けの手続補正が補正却下されるか否かにかかわらず、本願は拒絶すべきものである。
　よって、結論のとおり審決する。